(57)【要約】【課題】端子がより確実に所定位置に確実に固定されるように工夫された、光電気複合型コネクタを提供する。【解決手段】光電気複合型コネクタの構成部品が配置される凹部を有するハウジングと、凹部に設けられ、光電気複合型コネクタと相手コネクタが嵌合したときに相手コネクタに設けた端子と接続される複数の端子と、を有する。複数の端子は各々、凹部の垂直部の外壁に設置される第一垂直部と、垂直部の頂部に設置される折返部と、垂直部の内壁に設置される第二垂直部と、凹部の水平部に設置される先端部を有する。先端部は、折返部、第二垂直部、先端部の少なくともいずれかの部分における弾性変位によって、凹部の水平部に押圧接触の状態で設置される。【選択図】図２
2010267512.tif 000002
【特許請求の範囲】
【請求項１】
相手コネクタと嵌合して光電気変換装置を構成する光電気複合型コネクタであって、
前記光電気複合型コネクタの構成部品が配置される凹部を有するハウジングと、
前記凹部に設けられ、前記光電気複合型コネクタと前記相手コネクタが嵌合したときに前記相手コネクタに設けた端子と接続される複数の端子と、
を有し、
前記複数の端子は各々、前記凹部の垂直部の外壁に設置される第一垂直部と、前記垂直部の頂部に設置される折返部と、前記垂直部の内壁に設置される第二垂直部と、前記凹部の水平部に設置される先端部を有し、前記折返部、前記第二垂直部、前記先端部の少なくともいずれかの部分における弾性変位によって、前記先端部が前記凹部の水平部に押圧接触の状態で設置されることを特徴とするコネクタ。
【請求項２】
前記複数の端子を前記凹部に設置する際、前記水平部と前記先端部の接触を通じて前記先端部と前記第二垂直部の間の角度を変化させ、或いは、前記垂直部の頂部との接触を通じて前記折返部の角度を変化させることにより、前記先端部が前記水平部と平行に設置される請求項１に記載のコネクタ。
【請求項３】
前記複数の端子のうちの少なくとも１つはグランド端子として使用され、該グランド端子の先端部は、前記水平部に露出したグランド板の一部と直接接触している請求項１又は２に記載のコネクタ。
【請求項４】
前記複数の端子のうちの少なくとも１つは信号端子として使用され、前記信号端子は、前記構成部品とワイヤボンディングされる請求項１乃至３のいずれかに記載のコネクタ。
【請求項５】
前記信号端子の先端部の上面を凹状としてワイヤボンディングに使用する請求項４に記載のコネクタ。
【請求項６】
前記ハウジングを、前記複数の端子の固定位置との関係で外部に延出させて、前記凹部に設置された前記複数の端子の外部接触を防止している請求項１乃至５のいずれかに記載のコネクタ。
【請求項７】
前記コネクタは、前記相手コネクタのハウジングを利用して形成された嵌合部に嵌め込むことによって前記相手コネクタと嵌合可能であり、前記相手コネクタのハウジングやその外部を覆うシェルを前記相手コネクタに設けた端子の固定位置との関係で外部に延出させて、前記コネクタが前記相手コネクタと嵌合したときに、前記コネクタの前記凹部に設置された前記複数の端子の外部接触を防止している請求項１乃至６のいずれかに記載のコネクタ。
【発明の詳細な説明】
【技術分野】
【０００１】
本発明は、光電気複合型コネクタに関する。
【背景技術】
【０００２】
従来の光電気複合型コネクタの一例が特開２００７年３２８０１８号公報に開示されている。図１１に、ここに開示された光電気複合型コネクタ１００の中心線横断面図を示す。
【０００３】
コネクタ１００は、互いに上下方向にて嵌合可能なプラグ側コネクタ（光モジュール側コネクタ）１２０とレセプタクル側コネクタ１８０の対から成る。レセプタクル側コネクタ１８０は、マザーボード１１０に実装され、この実装されたレセプタクル側コネクタ１８０にプラグ側コネクタ１２０が嵌合される。
【０００４】
マザーボード１１０に実装されたレセプタクル側コネクタ１８０は、上部に突出する端子１６０を含む。端子１６０の先端１６７付近は、プラグ側コネクタ１２０とレセプタクル側コネクタ１６０の嵌合時に、対応する相手部分との接触を確実ならしめるため、多少折り曲げた状態で外部に突出させている。
【０００５】
しかしながら、このような構成では、端子１６０を指等で触れ、静電気等で破損させてしまう可能性がある。また、端子１６０の固定は圧入誤差等により、接触が不十分になる危険もあり得る。
【先行技術文献】
【特許文献】
【０００６】
【特許文献１】特開２００７年３２８０１８号公報
【発明の概要】
【発明が解決しようとする課題】
【０００７】
本願発明は、このような従来技術における問題点を解決するためになされたものであり、端子をハウジングに沿って配置することによって、端子を手で直接触れる可能性を低くし、また、端子がより確実に所定位置に確実に固定されるように工夫された、光電気複合型コネクタを提供することを目的とする。
【課題を解決するための手段】
【０００８】
本発明は、相手コネクタと嵌合して光電気変換装置を構成する光電気複合型コネクタであって、前記光電気複合型コネクタの構成部品が配置される凹部を有するハウジングと、前記凹部に設けられ、前記光電気複合型コネクタと前記相手コネクタが嵌合したときに前記相手コネクタに設けた端子と接続される複数の端子と、を有し、前記複数の端子は各々、前記凹部の垂直部の外壁に設置される第一垂直部と、前記垂直部の頂部に設置される折返部と、前記垂直部の内壁に設置される第二垂直部と、前記凹部の水平部に設置される先端部を有し、前記折返部、前記第二垂直部、前記先端部の少なくともいずれかの部分における弾性変位によって、前記先端部が前記凹部の水平部に押圧接触の状態で設置されるコネクタを特徴とする。
【０００９】
上記コネクタにおいて、前記複数の端子を前記凹部に設置する際、前記水平部と前記先端部の接触を通じて前記先端部と前記第二垂直部の間の角度を変化させ、或いは、前記垂直部の頂部との接触を通じて前記折返部の角度を変化させることにより、前記先端部が前記水平部と平行に設置されるようになっていてもよい。
また、上記コネクタにおいて、前記複数の端子のうちの少なくとも１つはグランド端子として使用され、該グランド端子の先端部は、前記水平部に露出したグランド板の一部と直接接触していてもよい。
【００１０】
また、上記コネクタにおいて、前記複数の端子のうちの少なくとも１つは信号端子として使用され、前記信号端子は、前記構成部品とワイヤボンディングされてもよい。
【００１１】
また、上記コネクタにおいて、前記信号端子の先端部の上面を凹状としてワイヤボンディングに使用することもできる。
【００１２】
更に、上記コネクタにおいて、前記ハウジングを、前記複数の端子の固定位置との関係で外部に延出させて、前記凹部に設置された前記複数の端子の外部接触を防止することもできる。
【００１３】
また、上記コネクタは、前記相手コネクタのハウジングを利用して形成された嵌合部に嵌め込むことによって前記相手コネクタと嵌合可能であり、前記相手コネクタのハウジングやその外部を覆うシェルを前記相手コネクタに設けた端子の固定位置との関係で外部に延出させて、前記コネクタが前記相手コネクタと嵌合したときに、前記コネクタの前記凹部に設置された前記複数の端子の外部接触を防止してもよい。
【発明の効果】
【００１４】
本願発明によれば、端子を直接触れる可能性が低くなり、静電気等によって端子を破壊する可能性  を低くし、また、端子がより確実に所定位置に設置されるように工夫された光電気複合型コネクタを提供することを目的とする。
【図面の簡単な説明】
【００１５】
【図１】本願発明による光電気変換装置の使用例であって、レセプタクルコネクタとプラグコネクタの嵌合後の状態を示す斜視図である。
【図２】本願発明による光電気変換装置の使用例であって、レセプタクルコネクタとプラグコネクタの嵌合前の状態を示す斜視図である。
【図３】嵌合側から見たプラグコネクタの平面図である。
【図４】嵌合側からみたプラグコネクタの斜視図である。
【図５】グランド板の上面斜視図である。
【図６】グランド板と一体成形されたプラグハウジングの上面斜視図を、プラグ端子を取り付ける前の状態で示した図である。
【図７】グランド板と一体成形されたプラグハウジングの上面斜視図を、プラグ端子を取り付けた後の状態で示した図である。
【図８】グランド板と一体成形されたプラグハウジングの平面図である。
【図９】図８のＩ−Ｉ線断面図である。
【図１０】図８のII−II線断面図である。
【図１１】プラグ端子の拡大図である。
【図１２】従来技術による光電気複合型コネクタの中心線横断面図である。
【発明を実施するための形態】
【００１６】
添付図面を参照しつつ、本願発明の好適な実施形態を以下に説明する。
図１、図２に、本願発明の一つの実施形態による光電気変換装置１０の使用例を示す。光電気変換装置１０は、互いに嵌合され得るレセプタクルコネクタ２０（相手コネクタ）とプラグコネクタ（光電気複合型コネクタ）３０の対から成る。図１は、嵌合後の状態、図２は、嵌合前の状態を、それぞれ示す。プラグコネクタ３０は、レセプタクル２０の凹状の嵌合部２３に嵌め込んで使用する。プラグコネクタ３０とレセプタクルコネクタ２０は互いに嵌合されて初めて、１つの光電気変換装置１０として形成され得る。
【００１７】
プラグコネクタ３０は、図示のように、光ファイバケーブル１２を介して互いに接続されてもよい。また、特に図示していないが、光ファイバケーブル１２の一端にのみプラグコネクタ３０を設け、他端を装置に接続してもよい。レセプタクルコネクタ２０は、これと異なり、配線基板等（図示していない）に固定して使用する。
【００１８】
レセプタクルコネクタ２０は、一般的な電気コネクタと考えてよい。一方、プラグコネクタ３０は、様々な光電気交換部品を備えることによって、電気・光変換機能（送信機能と捉えることもできる）を発揮することもできるし、光・電気変換機能（受信機能と捉えることもできる）を発揮することもできる。例えば、レセプタクルコネクタ２０とプラグコネクタ３０の嵌合時には、プラグコネクタ３０に設けた光電気変換部品の働きによって、光ファイバケーブル１２を通じて伝達された光信号を電気信号に変換した後に、配線基板に伝達することもできるし、逆に、配線基板を通じて伝達された電気信号を光信号に変換した後に、光ファイバケーブル１２に伝達することもできる。
【００１９】
レセプタクルコネクタ２０は、枠状のレセプタクルハウジング２１と、これに設置される複数のレセプタクル端子８４、更に、レセプタクルハウジング２１の外部を覆うレセプタクルシェル２７を有する。図示のように、レセプタクルハウジング２１を枠状として、プラグコネクタ３０を嵌め込む嵌合部２３を形成してもよい嵌合部２３の底部は、レセプタクルコネクタ２０自体によって形成されてもよいし、図示のように、レセプタクルコネクタ２０を固定する配線基板等によって形成されてもよい。
【００２０】
レセプタクル端子８４は、レセプタクルハウジング２１に圧入固定される。レセプタクル端子８４には、グランド端子（Ｇ）８５と信号端子（Ｓ）８６の２種類の端子が含まれる。これら２種類の端子８５、８６は、長手方向に並行に延びるレセプタクルハウジング２１の側壁部２９のそれぞれに、先端側からＧＳＧＳＳＳＧの順に、嵌合部２３の外側面と上面の双方を取り巻くように配置され、それらの端部は配線基板に半田付けされる。ただし、グランド端子８５や信号端子８６の数は任意である。これらグランド端子８５及び信号端子８６は各々、それらの一部８７において嵌合部２３に突出し、プラグコネクタ３０が嵌合部２３に嵌め込まれた際、プラグコネクタ３０側の対応端子（プラグ端子３４）と接続され得る。
【００２１】
レセプタクルシェル２７は、レセプタクルハウジング２１の側面の略全体と、その上面の一部を覆う。レセプタクルシェル２７は、圧入部分２４をレセプタクルハウジング２１に圧入等することによって、レセプタクルハウジング２１に固定されている。圧入部分２４の先端付近は、嵌合部２３に突出する弾性突出部２２として形成され、レセプタクルコネクタ２０の嵌合部２３にプラグコネクタ３０が嵌め込まれた際、この弾性突出部２２がプラグコネクタ３０側の対応ロック部６５と係合して、プラグコネクタ３０とレセプタクルコネクタ２０の嵌合をロックする。
【００２２】
レセプタクルハウジング２１やレセプタクルハウジング２１の外部を覆うレセプタクルシェル２７は、レセプタクル端子８４の固定位置との関係で外部に延出されている。例えば、レセプタクル端子８４の圧入位置は、レセプタクルハウジング２１の上面２５よりも深い位置に設定され、また、レセプタクルシェル２７の上面２８は、レセプタクル端子８４よりも一段高く設定されている。このような構成とすることにより、レセプタクル端子８４をレセプタクルハウジング２１やレセプタクルシェル２７の内側に位置付け、レセプタクル端子８４が外部に出っ張らない構造とし、レセプタクルコネクタ２０に触れたときでも、グランドであるレセプタクルシェル２７にだけ触れるようにして、特に信号端子８６の外部接触が効果的に防止されている。尚、レセプタクルハウジング２１のこのような構成は、レセプタクル端子８４自体を保護する他、レセプタクルコネクタ２０とプラグコネクタ３０の嵌合時に、プラグコネクタ３０に設けたプラグ端子３４の外部接触を防止する利点もある。
【００２３】
プラグコネクタ３０は、プラグハウジング３１と、これに設置される複数のプラグ端子３４、更に、プラグハウジング３１と一体成形されるグランド板６０を有する。図３に、レセプタクルコネクタ２０とプラグコネクタ３０の嵌合側から見たプラグコネクタ３０の平面図を、図４に、その斜視図を、それぞれ示す。更に、図５に、グランド板６０だけの上面斜視図を、図６に、グランド板と一体成形されたプラグハウジングの上面斜視図をプラグ端子を取り付ける前の状態で、図７に、グランド板と一体成形されたプラグハウジングの上面斜視図をプラグ端子を取り付けた後の状態で、それぞれ示す。
【００２４】
プラグ端子３４は、グランド端子８５と同様に、グランド端子（Ｇ）３５と信号端子（Ｓ）３６の２種類の端子を含む。これら２種類の端子は、プラグハウジング３１の先端側からＧＳＧＳＳＳＧの順に配列される。このようにグランド端子３５を信号端子３６よりも先端側に配置することにより、例えば、先端側から位置決めを行うような方法でレセプタクルコネクタ２０の嵌合部２３にプラグコネクタ３０を嵌め込んだときは（通常の取り付け方法と考えられる）、信号端子３６よりも先にグランド端子３５をレセプタクルコネクタ２０側のグランド端子８５と接触させることができ、雑音等が信号端子３６に与える影響を少なくすることができる。尚、グランド端子や信号端子の数は、レセプタクル端子と同様、任意である。
【００２５】
プラグ端子３４は、圧入端子として、プラグハウジング３１に圧入固定される。プラグハウジング３１とグランド板６０を一体成形した後、プラグ端子３４をプラグハウジング３１に圧入するとしたことにより、一体成形の際にかかる熱や金型との接触による悪影響を無視することができる。レセプタクルコネクタ２０とプラグコネクタ３０の嵌合の際、プラグ端子３４は、レセプタクル端子８４と、対応端子同士で接続される。これらプラグ端子３４やレセプタクル端子８４は、プラグハウジング３１やレセプタクルハウジング２１の長手方向に沿って配列されていることから、嵌合時には、それらの長手方向に沿って複数の端子間接続が生じることになる。
【００２６】
プラグハウジング３１は、全体として略直方形状であるが、プラグ端子３４の固定位置との関係で外部に延出されている。言い換えれば、図７等に示すように、プラグ端子３４の圧入位置は、プラグハウジング３１の外側面７３や上面７４よりも深い位置に設定されている。例えば、プラグハウジング３１の上面７４は、プラグ端子３４同士の間に設けた壁３２を利用してプラグ端子３４よりも一段高く設定されており、また、プラグハウジング３１の外側面７３は、壁３２を利用してプラグ端子３４よりも外部に突出した状態とされている。このような構成とすることにより、プラグ端子３４をプラグハウジング３１の内側に位置付け、プラグ端子３４が外部に出っ張らない構造とし、プラグコネクタ３０に触れたときでも、プラグ端子３４には触れることがないようにして、特に信号端子３６の外部接触が効果的に防止されている。信号端子３６に指等が触れた場合には、静電気で内部チップを破損させる危険があるが、このような構成とすれば、危険を効果的に取り除くことができる。
【００２７】
プラグハウジング３１は、レセプタクルコネクタ２０との嵌合側に２つの凹部、即ち、第一の凹部４６と第二の凹部４７を有する。これら２つの凹部４６、４７に、様々な構成部品を配置して、装置の小型化を図っている。これらの凹部４６、４７は、長手方向に並行に延びる２つの側壁部４９や、グランド板６０と一体成形された底部或いはグランド板６０の露出部を利用して形成されている。更に、これらの凹部４６、４７は、プラグハウジング３１の一部等によって形成された仕切り３９によって互いに仕切られ、異なるタイプの樹脂によって封止される。
【００２８】
第一の凹部４６には、半導体レーザー或いはフォトダイオードのような面発光型の光半導体（ＶＣＳＥＬ）４３や、光半導体４３を前面に支持するためのサブマウント４４のような、光信号と電気信号の間で変換を行う光電気変換部品、或いは、光ファイバケーブル１２のような、光信号を伝送する光部品（これらの光学関連部品を「第一のタイプの構成部品」と呼ぶ）が配置される。この第一の凹部４６は、紫外線（ＵＶ）硬化樹脂（第一の樹脂）をそこに流し込むことによって封止される。第一の凹部４６を封止する樹脂として紫外線硬化樹脂を用いることとしたのは、第一の構成部品については、短時間に精度よく固定するのが好ましいからである。
【００２９】
第二の凹部４７には、ＩＣパッド５１や離れた端子への配線を可能にする信号中継部品５２のような電気信号だけを処理する電気部品（この電気部品を「第二のタイプの構成部品」と呼ぶ）が配置される。信号中継部品５２は、少なくとも一面にインピーダンス整合した伝送経路５４を有し、伝送経路５４の端部には、金属ワイヤー５３の一端が結線され、金属ワイヤー５３の他端はコネクタ端子３６やＩＣパッド５１に接続される。第二の凹部４７は、これらの電気部品を配置した後であって、好ましくは、紫外線硬化樹脂で第一の凹部４６を封止した後に、熱硬化樹脂（第二の樹脂）をそこに流し込むことによって封止される。第二の凹部４７を封止する樹脂として熱硬化樹脂５８を用いることとしたのは、当該箇所に紫外線硬化樹脂を適用した場合には、光線が届かない部品（例えば、金属ワイヤー５３やその他電気部品）の影部は樹脂が未硬化となるが、熱硬化樹脂を適用することにより、未硬化部が無くなり、製品の信頼性が向上するからである。
【００３０】
グランド板６０は、図５に示すように予め所定の形状に折り曲げた状態で、プラグハウジング３１と一体成形される。成形後のプラグハウジング３１にグランド板６０を実装すると、組立時間もコストもかかり、強度面でも不利になる。一体成形することにより、このような問題は解消される。但し、一体成形後も、グランド板６０の一部は、プラグハウジング３１から露出した状態とする。露出部には、例えば、グランド板６０の底部６２の一部や、先端側上面に設けたグランド端子接触部６４、後端側側面に設けたロック部６５が含まれる。
【００３１】
底部６２の一部を露出させることとしたのは、光半導体４３やサブマウント４４等の実装を容易にするためである。実装部分を金属とすることにより、構成部品をリフロー等によって半田実装できる。構成部品からの電磁波の外部漏洩を防ぐため、グランド板６０の中央付近で一部両側側面を垂直に立ち上げて壁６３（図５参照）を形成してもよい。但し、これらの壁６３は、プラグハウジング３１によって完全に覆われており、外部には露出させていない。
【００３２】
グランド板６０の一部を上方で折返すことによって、グランド端子接触部６４が形成されている。グランド端子接触部６４を露出させることにより、プラグコネクタ３０のグランド端子３５を直接接触させることができるようにして、グランド板６０とグランド端子３５の導通を容易にすることができる。
【００３３】
更に、ロック部６５やその周辺付近でグランド板６０を露出させ、ロック部を金属で形成してもよい。これにより、ロックを強化し、加えて、グランド機能を強化することができる。ロック部６５は、例えば、光ファイバケーブル１２、特に、そのファイバ素線１４の配置付近で、グランド板６０の一部両側側面を垂直に立ち上げることによって形成され得る。尚、ロック部６５の上部は強度を保つため、或いは、弾性突出部２２との衝突を和らげて嵌合をスムーズにする等のため、半円筒状に折り曲げておくのが好ましい。ロック部６５の底部付近には、切欠６７を設けてロック孔６７を形成する。レセプタクルコネクタ２０の嵌合部２３にプラグコネクタ３０を嵌め込んだ際、このロック孔６７にレセプタクルコネクタ２０の弾性突出部２２を係合させて、プラグコネクタ３０とレセプタクルコネクタ２０の嵌合をロックすることができる。尚、この構成によれば、抜去力を強化し、ロック時にクリック感を持たせることもできる。更に、この構成では、ロック時に、レセプタクルシェル２７の一部である弾性突出部２２と、グランド板６０の一部であるロック孔６７等が直接接触するため、プラグコネクタ３０のグランド板６０とレセプタクルコネクタ２０のレセプタクルシェル２７を嵌合時に電気的に接触させて、グランド機能を強化することができる。尚、嵌合側に位置付けられたロック孔６７の頂上部７０、即ち、半円筒状の頂上付近は、プラグコネクタ３０とレセプタクルコネクタ２０の嵌合時に、ロック孔６７よりもレセプタクルコネクタ２０の嵌合部２３に接近した側に位置付けられていることから、レセプタクルコネクタ２０の弾性突出部２２とプラグコネクタ３０のロック孔６７を係合させる前、更に言えば、プラグ端子３４とレセプタクル端子８４を接触させる前に、弾性突出部２２と頂上部７０を接触させることにより、グランド板６０とシェル２７を電気的に接続させて、グランド機能をより確実に発揮させることもできる。尚、プラグコネクタ３０（グランド板６０）の後端近傍に設けたツマミ３７は、レセプタクルコネクタ２０とプラグコネクタ３０の嵌合を解除する際に使用され得る。
【００３４】
図８乃至図１１を参照して、プラグ端子３４の形状、及び、これらの設置方法を説明する。
【００３５】
図８に、グランド板と一体成形されたプラグハウジングの平面図、図９に、図８のＩ−Ｉ線断面図、即ち、グランド端子３５における断面図、図１０に、図８のII−II線断面図、即ち、信号端子３６における断面図、更に、図１１に、プラグ端子３４（グランド端子３５及び信号端子３６）の拡大図を、それぞれ示す。尚、プラグ端子３４には、グランド端子３５と信号端子３６の２種類が含まれるが、これらの端子３５、３６は全て同じ形状を有すると考えてよい。
【００３６】
グランド端子３５や信号端子３６は、第二の凹部４７に設置される。これらグランド端子３５や信号端子３６には、第二の凹部４７の垂直部４２ａの外壁８８ａに設置される第一垂直部３５ａ、３６ａと、垂直部４２ａの頂部８８ｂに設置される折返部３５ｂ、３６ｂ、垂直部４２ａの内壁８８ｃに設置される第二垂直部３５ｃ、３６ｃ、更に、第二の凹部４７の水平部４２ｂに設置される先端部３５ｅ、３６ｅが含まれる。尚、第二の凹部４７に設置されたとき、図１０等に示すように、信号端子３６は、ハウジング３１の水平部４２ｂ自体に設置されるのに対し、図９等に示すように、グランド端子３５は、グランド板６０（グランド端子接触部６４）と直接接触させられ、このグランド板６０を介して水平部４２ｂに設置される。但し、この場合でも、グランド端子３５と信号端子３６の先端部３５ｅ、３６ｅは、水平部４２ｂにおいて、全て同じ高さに位置付けられる。
【００３７】
図１１の拡大図や図９、図１０の（ａ）に示すように、第二の凹部４７に設置される以前にあっては、グランド端子３５や信号端子３６は、第二垂直部３５ｃ（３６ｃ）と先端部３５ｅ（３６ｅ）の間で鈍角「α」を成し、また、折返部３５ｂ（３６ｂ）において比較的小さな角度「β」を成している。これに対し、第二の凹部４７に設置されたときは、折返部３５ｂ（３６ｂ）、第二垂直部３５ｃ（３６ｃ）、先端部３５ｅ（３６ｅ）の少なくともいずれかの部分における弾性変位によって、例えば、第二の凹部４７の水平部４２ｂと先端部３５ｅ（３６ｅ）との接触を通じて第二垂直部３５ｃ（３６ｃ）と先端部３５ｅ（３６ｅ）を互いに接近させる方向、換言すれば、鈍角「α」を鋭角にする方向に変化させ、また、垂直部４２ａの頂部８８ｂとの接触を通じて折返部（５６）の角度「β」が大きくなる方向に変化させ、これにより、先端部３５ｅは、第二の凹部４７の水平部４２ｂに押圧接触の状態で設置される。また、このとき、端子３４の先端部３５ｅ（３６ｅ）は水平部４２ｂと平行に設置され、グランド端子３５や信号端子３６は、それらの弾性作用を利用して、より確実に凹部４７に弾性設置される。このような構成によれば、プラグ端子３４が外部に出っ張ることを防ぎ、プラグ端子３４に手等が触れることを防止して、耐静電気性を向上させることもできる。
【００３８】
図９の（ｂ）によく示されるように、グランド端子３５の先端部３５ｅは、露出させたグランド板６０の一部（グランド端子接触部）７５と直接接触させられる。この接触はグランド端子３５の働きによって弾性接触とされているため、グランド端子３５に応力が働いた場合でも、また、グランド端子３５とグランド端子接触部７５の間にずれが生じた場合でも、グランド端子３５（プラグ端子３４）の弾性作用によってグランド端子３５とグランド板６０の接触は確実に維持されることになる。更に、グランド端子３５同士の間で圧入量にばらつきが生じても、グランド端子３５の弾性作用によって、グランド板６０とグランド端子３５は電気的に安定して接続されることになる。尚、グランド端子接触部７５とグランド端子３５の間の導通状態を改善するため、それらの間に銀（Ａｇ）ペーストを塗布してもよい。
【００３９】
図１０の（ｂ）によく示されるように、信号端子３６の先端部３６ｅは、グランド端子３５と同様に、水平部４２ｂに設置される。但し、グランド板６０とは接触されず、代わりに、第二の凹部４７に設置した構成部品４３、４４等とワイヤボンディングされるだけである。ワイヤボンディングの際、特に、信号端子３６に、超音波振動を与えるが、信号端子３６も、グランド端子３５と同様に、弾性作用を利用して設置されているため、この振動によって信号端子３６が水平部４２ｂから浮いた状態とされることはなく、また、超音波振動が外部に逃げることはなく、安定したボンディング性が得られる。尚、信号端子３６（或いはグランド端子３５）の先端部３６ｅ（３５ｅ）の上面は、ワイヤボンディングに使用される部分であるため、ボンディング面に異物が触れないよう、これらの部分を凹状３８としてワイヤボンディングを安定化させることもできる。また、グランド端子３５と接触させるグランド板６０の露出部７５（グランド端子接触部）にも、同様の凹部６４を設けることができる。
【産業上の利用可能性】
【００４０】
本願発明は、光と電気を混合して使用する通信に幅広く用いることができる。
【符号の説明】
【００４１】
１０  光電気複合型コネクタ
２０  レセプタクルコネクタ
２１  レセプタクルハウジング
２２  弾性突出部
２７  レセプタクルシェル
３０  プラグコネクタ
３１  プラグハウジング
３４  プラグ端子
３５  グランド端子
３６  信号端子
３７  ツマミ
３８  凹形状
３９  仕切り
４２  端子配列部
４４  サブマウント
４６  第一の凹部
４７  第二の凹部
６０  グランド板
８４  レセプタクル端子（第２端子）
８５  グランド端子
８６  信号端子
【図１】
2010267512.tif 000003
【図２】
2010267512.tif 000004
【図３】
2010267512.tif 000005
【図４】
2010267512.tif 000006
【図５】
2010267512.tif 000007
【図６】
2010267512.tif 000008
【図７】
2010267512.tif 000009
【図８】
2010267512.tif 000010
【図９】
2010267512.tif 000011
【図１０】
2010267512.tif 000012
【図１１】
2010267512.tif 000013
【図１２】
2010267512.tif 000014